【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
文書データ等の印刷データを生成する端末装置、および該端末装置からの前記印刷データを可視画像として用紙等の印刷媒体への印刷を行う複数台の各画像形成装置がネットワーク等の通信回線を介して接続され、前記端末装置からの前記印刷データを前記各画像形成装置へ選択的に送信して前記印刷を行わせる管理装置であって、
前記端末装置から前記印刷データおよび少なくとも印刷条件を含む所要条件を含む印刷依頼を受けた場合に、該印刷条件を含む前記印刷データの印刷によって消費される消費電力量の計算依頼を前記各画像形成装置へそれぞれ通知することにより、該各画像形成装置からそれぞれ通知される計算結果を取得する計算結果取得手段と、
該手段によって取得した前記各画像形成装置別の前記計算結果に基づいて該各画像形成装置のいずれかを前記印刷に使用する機器として選択する機器選択手段と
を設けたことを特徴とする管理装置。
【請求項２】
請求項１記載の管理装置において、
前記機器選択手段は、前記所要条件に機器選択条件が含まれている場合に、前記計算結果取得手段によって取得した前記各画像形成装置別の前記計算結果および前記機器選択条件に基づいて該各画像形成装置のいずれかを前記印刷に使用する機器として選択することを特徴とする管理装置。
【請求項３】
請求項２記載の管理装置において、
前記機器選択手段は、前記機器選択条件が印刷スピードよりも省エネルギーを優先するものであった場合に、前記各計算結果から最も消費電力の少ない画像形成装置を前記印刷に使用する機器として選択することを特徴とする管理装置。
【請求項４】
請求項１記載の管理装置において、
前記機器選択手段は、前記所要条件に機器選択条件が含まれている場合に、前記計算結果取得手段によって取得した前記各画像形成装置別の前記計算結果を前記端末装置へ通知する計算結果通知手段と、該手段による通知後、前記端末装置からの要求に応じて前記各画像形成装置のいずれかを前記印刷に使用する機器として選択することを特徴とする管理装置。
【請求項５】
請求項１乃至４のいずれか一項に記載の管理装置において、
前記各画像形成装置の前記消費電力量を計算するための該各画像形成装置別の計算プログラムを記憶する計算プログラム記憶手段を設けたことを特徴とする管理装置。
【請求項６】
請求項５記載の管理装置において、
前記端末装置から前記各画像形成装置別の計算プログラムを取得する計算プログラム取得手段を設け、
前記計算結果取得手段は、前記印刷条件および前記各画像形成装置別の前記計算プログラムを含む前記消費電力量の計算依頼を前記各画像形成装置へそれぞれ通知することにより、該各画像形成装置からそれぞれ通知される計算結果を取得することを特徴とする管理装置。
【請求項７】
請求項５又は６記載の管理装置において、
前記各画像形成装置のいずれかから前記消費電力量の計算が不可能なモードに移行する際に通知された該画像形成装置のプロパティを受けた場合に、該画像形成装置用の前記計算プログラムに従い、該プロパティおよび前記印刷条件に基づいて該画像形成装置の前記消費電力量の計算を代行する計算代行手段を設けたことを特徴とする管理装置。
【請求項８】
請求項５又は６記載の管理装置において、
外部から入力される前記各画像形成装置別のプロパティを登録するプロパティ登録手段と、
前記各画像形成装置のいずれかから前記消費電力量の計算が不可能なモードに移行する旨の通知を受けた場合に、該画像形成装置用の前記計算プログラムに従い、該画像形成装置のプロパティおよび前記印刷条件に基づいて該画像形成装置の消費電力量の計算を代行する計算代行手段と
を設けたことを特徴とする管理装置。
【請求項９】
請求項５又は６記載の管理装置において、
前記計算結果取得手段は、前記各画像形成装置のいずれかから前記消費電力量の計算が不可能なモードに移行する際に通知された該画像形成装置のプロパティを受けた場合に、該プロパティ，該画像形成装置用の前記計算プログラム，および前記印刷条件を含む前記消費電力量の計算代行依頼を前記各画像形成装置のうちの前記消費電力量の計算が可能な画像形成装置のいずれかへ通知することにより、該画像形成装置から通知される計算結果を取得する手段を有することを特徴とする管理装置。
【請求項１０】
請求項５又は６記載の管理装置において、
外部から入力される前記各画像形成装置別のプロパティを登録するプロパティ登録手段を設け、
前記計算結果取得手段は、前記各画像形成装置のいずれかから前記消費電力量の計算が不可能なモードに移行する旨の通知を受けた場合に、該画像形成装置のプロパティ，該画像形成装置用の前記計算プログラム，および前記印刷条件を含む前記消費電力量の計算代行依頼を前記各画像形成装置のうちの前記消費電力量の計算が可能な画像形成装置のいずれかへ通知することにより、該画像形成装置から通知される計算結果を取得する手段を有することを特徴とする管理装置。
【請求項１１】
請求項１乃至４のいずれか一項に記載の管理装置と前記端末装置と前記各画像形成装置とを前記通信回線を介して接続可能な画像形成システムにおいて、
前記各画像形成装置に、前記管理装置から前記消費電力量の計算依頼を受けた場合に、該依頼に含まれている印刷条件および自己のプロパティに基づいて自己の前記消費電力量を計算する消費電力量計算手段と、該手段による計算結果を前記管理装置へ通知する計算結果通知手段とを設けたことを特徴とする画像形成システム。
【請求項１２】
請求項１１記載の画像形成システムにおいて、
前記各画像形成装置にそれぞれ、自己の前記消費電力量を計算するための計算プログラムを記憶する計算プログラム記憶手段を設け、
前記各画像形成装置の前記消費電力量計算手段は、前記計算プログラムに従って自己の前記消費電力量を計算することを特徴とする画像形成システム。
【請求項１３】
請求項６記載の管理装置と前記端末装置と前記各画像形成装置とを前記通信回線を介して接続可能な画像形成システムにおいて、
前記各画像形成装置に、前記管理装置から前記消費電力量の計算依頼を受けた場合に、該依頼に含まれている前記計算プログラムに従い、該依頼に含まれている印刷条件および自己のプロパティに基づいて自己の前記消費電力量を計算する消費電力量計算手段と、該手段による計算結果を前記管理装置へ通知する計算結果通知手段とを設けたことを特徴とする画像形成システム。
【請求項１４】
請求項７又は９記載の管理装置と前記端末装置と前記各画像形成装置とを前記通信回線を介して接続可能な画像形成システムにおいて、
前記各画像形成装置に、前記消費電力量の計算が不可能なモードに移行する際に自己のプロパティを前記管理装置へ通知するプロパティ通知手段を設けたことを特徴とする画像形成システム。
【請求項１５】
請求項８又は１０記載の管理装置と前記端末装置と前記各画像形成装置とを前記通信回線を介して接続可能な画像形成システムにおいて、
前記各画像形成装置に、前記消費電力量の計算が不可能なモードに移行する際にその旨を前記管理装置へ通知するモード移行通知手段を設けたことを特徴とする画像形成システム。
【請求項１６】
請求項９又は１０記載の管理装置と前記端末装置と前記各画像形成装置とを前記通信回線を介して接続可能な画像形成システムにおいて、
前記各画像形成装置の前記消費電力量計算手段は、前記管理装置から前記プロパティ，前記計算プログラム，および前記印刷条件を含む前記消費電力量計算の代行依頼を受けた場合に、該計算プログラムに従い、該プロパティおよび該印刷条件に基づいて他の画像形成装置の前記消費電力量を計算する手段を有することを特徴とする画像形成システム。
【請求項１７】
文書データ等の印刷データを生成する端末装置、および該端末装置からの前記印刷データを可視画像として用紙等の印刷媒体への印刷を行う複数台の各画像形成装置がネットワーク等の通信回線を介して接続され、前記端末装置からの前記印刷データを前記各画像形成装置へ選択的に送信して前記印刷を行わせる管理装置における制御方法であって、
前記端末装置から前記印刷データおよび少なくとも印刷条件を含む所要条件を含む印刷依頼を受けた場合に、該印刷条件を含む前記印刷データの印刷によって消費される消費電力量の計算依頼を前記各画像形成装置へそれぞれ通知することにより、該各画像形成装置からそれぞれ通知される計算結果を取得し、その取得した前記各画像形成装置別の前記計算結果に基づいて該各画像形成装置のいずれかを前記印刷に使用する機器として選択することを特徴とする制御方法。
【請求項１８】
請求項１７記載の管理装置における制御方法において、
前記所要条件に機器選択条件が含まれている場合に、前記各画像形成装置別の前記計算結果および前記機器選択条件に基づいて該各画像形成装置のいずれかを前記印刷に使用する機器として選択することを特徴とする制御方法。
【請求項１９】
請求項１８記載の管理装置における制御方法において、
前記機器選択条件が印刷スピードよりも省エネルギーを優先するものであった場合に、前記各計算結果から最も消費電力の少ない画像形成装置を前記印刷に使用する機器として選択することを特徴とする制御方法。
【請求項２０】
請求項１７記載の管理装置における制御方法において、
前記所要条件に機器選択条件が含まれている場合に、前記各画像形成装置別の前記計算結果を前記端末装置へ通知した後、前記端末装置からの要求に応じて前記各画像形成装置のいずれかを前記印刷に使用する機器として選択することを特徴とする制御方法。
【請求項２１】
請求項１７乃至２０のいずれか一項に記載の管理装置における制御方法において、
前記各画像形成装置の前記消費電力量を計算するための該各画像形成装置別の計算プログラムをメモリに記憶保持することを特徴とする制御方法。
【請求項２２】
請求項２１記載の管理装置における制御方法において、
前記端末装置から前記各画像形成装置別の計算プログラムを取得して前記メモリに記憶保持し、前記印刷条件および前記各画像形成装置別の前記計算プログラムを含む前記消費電力量の計算依頼を前記各画像形成装置へそれぞれ通知することにより、該各画像形成装置からそれぞれ通知される計算結果を取得することを特徴とする制御方法。
【請求項２３】
請求項２１又は２２記載の管理装置における制御方法において、
前記各画像形成装置のいずれかから前記消費電力量の計算が不可能なモードに移行する際に通知された該画像形成装置のプロパティを受けた場合に、該画像形成装置用の前記計算プログラムに従い、該プロパティおよび前記印刷条件に基づいて該画像形成装置の前記消費電力量の計算を代行することを特徴とする制御方法。
【請求項２４】
請求項２１又は２２記載の管理装置における制御方法において、
外部から入力される前記各画像形成装置別のプロパティを登録し、前記各画像形成装置のいずれかから前記消費電力量の計算が不可能なモードに移行する旨の通知を受けた場合に、該画像形成装置用の前記計算プログラムに従い、該画像形成装置のプロパティおよび前記印刷条件に基づいて該画像形成装置の消費電力量の計算を代行することを特徴とする制御方法。
【請求項２５】
請求項２１又は２２記載の管理装置における制御方法において、
前記各画像形成装置のいずれかから前記消費電力量の計算が不可能なモードに移行する際に通知された該画像形成装置のプロパティを受けた場合に、該プロパティ，該画像形成装置用の前記計算プログラム，および前記印刷条件を含む前記消費電力量の計算代行依頼を前記各画像形成装置のうちの前記消費電力量の計算が可能な画像形成装置のいずれかへ通知することにより、該画像形成装置から通知される計算結果を取得することを特徴とする制御方法。
【請求項２６】
請求項２１又は２２記載の管理装置における制御方法において、
外部から入力される前記各画像形成装置別のプロパティを登録し、前記各画像形成装置のいずれかから前記消費電力量の計算が不可能なモードに移行する旨の通知を受けた場合に、該画像形成装置のプロパティ，該画像形成装置用の前記計算プログラム，および前記印刷条件を含む前記消費電力量の計算代行依頼を前記各画像形成装置のうちの前記消費電力量の計算が可能な画像形成装置のいずれかへ通知することにより、該画像形成装置から通知される計算結果を取得することを特徴とする制御方法。
【請求項２７】
文書データ等の印刷データを生成する端末装置、および該端末装置からの前記印刷データを可視画像として用紙等の印刷媒体への印刷を行う複数台の各画像形成装置がネットワーク等の通信回線を介して接続され、前記端末装置からの前記印刷データを前記各画像形成装置へ選択的に送信して前記印刷を行わせる管理装置のコンピュータに、
前記端末装置から前記印刷データおよび少なくとも印刷条件を含む所要条件を含む印刷依頼を受けた場合に、該印刷条件を含む前記印刷データの印刷によって消費される消費電力量の計算依頼を前記各画像形成装置へそれぞれ通知することにより、該各画像形成装置からそれぞれ通知される計算結果を取得する計算結果取得機能と、該機能によって取得した前記各画像形成装置別の前記計算結果に基づいて該各画像形成装置のいずれかを前記印刷に使用する機器として選択する機器選択機能とを実現させるためのプログラム。
【請求項２８】
請求項２７記載のプログラムを記録したコンピュータ読み取り可能な記録媒体。
【手続補正２】
【補正対象書類名】明細書
【補正対象項目名】００２９
【補正方法】削除
【補正の内容】
【手続補正３】
【補正対象書類名】明細書
【補正対象項目名】００３０
【補正方法】削除
【補正の内容】
【手続補正４】
【補正対象書類名】明細書
【補正対象項目名】００３１
【補正方法】削除
【補正の内容】
【手続補正５】
【補正対象書類名】明細書
【補正対象項目名】００３２
【補正方法】削除
【補正の内容】
【手続補正６】
【補正対象書類名】明細書
【補正対象項目名】００３３
【補正方法】削除
【補正の内容】
【手続補正７】
【補正対象書類名】明細書
【補正対象項目名】００３４
【補正方法】削除
【補正の内容】
【手続補正８】
【補正対象書類名】明細書
【補正対象項目名】００３５
【補正方法】変更
【補正の内容】
【００３５】
請求項２８の発明による記録媒体は、請求項２７のプログラムを記録したコンピュータ読み取り可能な記録媒体である。